(57)【要約】【課　　題】前後，左右の方向性がないことは勿論、表裏もない構築用ブロックであって、平面的敷設状態のブロック集合体における各層のブロック同士の敷設接合線をずらしてこれらのブロック集合体を積層したとき、同一の平断面形状によって積層状態になると共に、上層のブロックが下層の集合した４個のブロックの境界に積層されることにより、結局、上下，左右のせん断継手となり、かつ、各ブロックの接合部位にブロック積層体における柱として機能する構造を持たせた構築用ブロックとその積層構築法とを提供すること。【解決手段】平面から見て正方形状の仮想輪郭の中心に正八角形の角穴１を形成すると共に、前記仮想輪郭の四隅に前記角穴１を四等分した内周面形状と同じ平面形状をなす凹状切欠隅部２〜５を形成し、かつ、上下，左右の直線辺の中央に開き角が９０度Ｖ状などの小切欠部６〜９を形成して、全体を適宜高さに形成したこと。【選択図】　　図１
2004011351.tif 000002
【特許請求の範囲】
【請求項１】
平面から見て正方形状の仮想輪郭の中心に正八角形の角穴を形成すると共に、前記仮想輪郭の四隅に前記角穴を四等分した内周面形状と同じ平面形状をなす凹状切欠隅部を形成し、かつ、上下，左右の直線辺の中央に開き角が９０度Ｖ状などの小切欠部を形成して、全体を適宜高さに形成したことを特徴とする構築用ブロック。
【請求項２】
凹状切欠隅部の壁面には、正八角形の角穴の中心に向う穴、又は、溝状切欠を設けた請求項１の構築用ブロック。
【請求項３】
小切欠部は、半円形又は半多角形に形成した請求項１又は２の構築用ブロック。
【請求項４】
平面から見て正方形状の仮想輪郭の中心に正八角形の角穴を形成すると共に、前記仮想輪郭の四隅に前記角穴を四等分した内周面形状と同じ平面形状をなす凹状切欠隅部を形成し、かつ、上下，左右の直線辺の中央に開き角が９０度Ｖ状などの小切欠部を形成して、全体を適宜高さに形成した構築用ブロックを、前記の各直線辺同士を互に当接させて平面上に敷設し前記ブロックの敷設集合体に形成し、該集合体の上に、前記ブロックと同一平面形状の複数のブロックを積層するとき、敷設された下層の前記ブロックの４個の集合体の凹状切欠隅部が形成される正八角形の角穴の上に、上層の各ブロックの中心角穴が合致するようにして積層敷設し、以下同じ要領で同じ平面形状のブロックを２層又は３層以上積層して構築用ブロックの積層体を形成することを特徴とする構築用ブロックの積層構築法。
【請求項５】
積層された構築用ブロックの集合体において、各層のブロック間を貫通して形成される対向した小切欠部による貫通孔にコンクリートモルタルを打設して各層を連結する請求項４の構築用ブロックの積層構築法。
【請求項６】
積層したブロック集合体の各小切欠が形成する貫通孔にコンクリートモルタルが打設されて形成される柱には、それに連結される梁がそれぞれ４５度の角度で結合されていることにより、力の分散を前記４５度の方向に伝達させる請求項５の構築用ブロックの積層構築法。
【発明の詳細な説明】
【０００１】
【発明の属する技術分野】
本発明は、平面的敷設は勿論、積層構築する上で有用な形状，構造を具備した構築用ブロックとその積層構築法に関する。より具体的には、空隙率が高く、それでいて構築したとき所要の強度を確保でき、かつ、中空部の有効利用を図ることが可能な構築用ブロックとその構築工法に関するものである。
【０００２】
【従来の技術】
従来から、平面的に敷設できることは勿論のこと、三次元的な積層態様での構築ができる構築用ブロックは公知である。このようなブロックの例として、本発明の発明者は、特許第２９４２７４６号のコンクリートブロックを提案すると共に、このブロックのせん断力の伝達方法として、特許第２９４２７４５号の十字状ブロックを組合せて使用することを提案しており、いずれのブロックを用いた工法も国内各地において実際の施工例がある。このほか、コンクリートブロックを積層して構築する工法の提案もなされているが、これらは組合せた各ブロックの境界面の接合の方法によって施工工程が増え、結果として工期の長期化、工事費の増大が避けられないという問題がある。
【０００３】
しかし乍ら、同じ平面形状のブロックを平面的に敷設し、その敷設ブロックの上に同一平面形状のブロックを積層していく構築形態において、下層に敷設したブロック集合体の上に積層される各ブロックの接合位置を下層のブロック集合体の接合位置とずらして２層以上にブロック集合体を積層するとき、ブロック本体が他のブロックを、上下，左右方向にせん断的に拘束することにより、各ブロック境界部でのせん断ずれ防止のための嵌合構造を不要とし、かつ、各層のブロック集合体における接合位置がずれているにも拘らず、各層のブロック集合体の平断面形状を同一にする構築用ブロックとその積層構築法は見られない。また、使用するブロックの前後、左右、及び、表裏に関係なく敷設できる、即ち、使用時に方向性がなく、かつ、各ブロックの平坦な外面同士を相互に密着させて敷設及び／又は積層できるブロックは、外形が立方体状をなすブロックを除いては、殆んど見られない。
【０００４】
【発明が解決しようとする課題】
本発明は上記のような従来の構築用ブロックとその積層構築法に鑑み、前後，左右の方向性がないことは勿論、表裏もない構築用ブロックであって、平面的敷設状態のブロック集合体における各層のブロック同士の敷設接合線をずらしてこれらのブロック集合体を積層したとき、同一の平断面形状によって積層状態になると共に、上層のブロックが下層の集合した４個のブロックの境界に積層されることにより、結局、上下，左右のせん断継手となり、かつ、積層した各ブロックの接合部位に形成される上下で貫通した小孔にコンクリートを打設することにより、ブロック積層体の全ブロックが連結されると同時に、各ブロックの上下，左右の接合辺が柱として外力に抵抗する構造を持たせた構築用ブロックとその積層構築法とを提供することを課題とするものである。
【０００５】
【課題を解決するための手段】
上記課題を解決することを目的としてなされた本発明ブロックの構成は、平面から見て正方形状の仮想輪郭の中心に正八角形の角穴を形成すると共に、前記仮想輪郭の四隅に前記角穴を四等分した内周面形状と同じ平面形状をなす凹状切欠隅部を形成し、かつ、上下，左右の直線辺の中央に開き角が９０度Ｖ状などの小切欠部を形成して、全体を適宜高さに形成したことを特徴とするものである。
【０００６】
本発明ブロックには、上記ブロックの構成において、凹状切欠隅部の壁面には、正八角形の角穴の中心に向う穴、又は、溝状切欠を設けた構成のものがある。また、本発明ブロックは、平面から見た縦，横の長さを、例えば、１２００〜１５００ｍｍ、高さを１５０〜１５００ｍｍ程度とするが、この数値は任意である。
【０００７】
上記本発明ブロックを積層構築する方法の構成は、前記の構築用ブロックを、前記の各直線辺同士を互に当接させて平面上に敷設し前記ブロックの敷設集合体に形成し、該集合体の上に、前記ブロックと同一平面形状の複数のブロックを積層するとき、敷設された下層の前記ブロックの４個の集合体の凹状切欠隅部が形成される正八角形の角穴の上に、上層の各ブロックの中心角穴が合致するようにして積層敷設し、以下同じ要領で同じ平面形状のブロックを２層又は３層以上積層して構築用ブロックの積層体を形成することを特徴とするものである。
【０００８】
上記の本発明ブロックの積層構築においては、各層のブロック間を貫通して形成される対向したＶ状切欠部による貫通角孔にコンクリートモルタルを打設して各層を連結することにより、この部分をブロック積層体における柱として機能させるようにする。
【０００９】
【発明の実施の形態】
次に本発明ブロックの実施の形態例を図に拠り説明するが、それに先立ち各図の説明をする。図１は本発明ブロックの第一例の平面図、図２は図１のブロックのＡ−Ａ矢視図、図３は図１のブロックのＢ−Ｂ矢視図、図４は本発明ブロックの第二例の平面図、図５は図４のブロックのＣ−Ｃ矢視図、図６は本発明ブロックの第三例の平面図、図７は図６のブロックのＤ−Ｄ矢視図、図８は本発明ブロックの第四例の平面図、図９は図８のブロックのＥ−Ｅ矢視図、図１０は図８のブロックのＦ−Ｆ矢視図、図１１は図１〜図３の本発明ブロックを積上げた状態の一例の平面図、図１２は図１１の積上げたブロックの正面図である。
【００１０】
図１〜図３において、ＣＢ１は本発明の構築用ブロックの一例で、この例では次の構成を具備したコンクリート製ブロックに形成されたものである。
【００１１】
図１の本発明ブロックＣＢ１において、その平面外形に外接する正方形状の仮想輪郭Ｓの一辺の長さを、説明の便宜上ａとすると、このブロックＣＢ１を平面から見た左右幅と上下幅はａである。そして、本発明ブロックＣＢ１は、前記正方形状の仮想輪郭Ｓの中心に、一辺が約１／４ａ程度正八角形状のセンタ穴１を具備すると共に、この正方形状仮想輪郭Ｓの四隅に当る部位に、前記八角形のセンタ角穴１の内周辺を四等分した平面形状と同じ平面形状の凹状切欠隅部２，３，４，５を具備している。
【００１２】
また、本発明ブロックＣＢ１は、上記の正方形状の仮想輪郭Ｓにおいて、４つの各切欠隅部２〜５に挟まれた部位の４つの直線辺には、図示した例では、各辺の中央部に、開き角が９０度の平面Ｖ状の小切欠部６，７，８，９が形成されている。本発明では、前記Ｖ状の小切欠部６〜９に代え、半円形状の小切欠部、或は、半多角形状の小切欠部を形成することがある。なお、ここでの多角形状は偶数の多角形が望ましい。
【００１３】
以上より、図１に示した本発明ブロックＣＢ１の平面から見た構成要件は、上記八角形のセンタ角穴１、４つの凹状切欠隅部２〜５、４つのＶ状などをなす小切欠部６〜９を具備していることであるから、上記の各構成要素１〜９の形状を再現できる、例えば分割タイプの金型（図示せず）を用意し、その金型を定盤などの上に組立て、組立てた金型にコンクリートモルタルを打設すれば、本発明ブロックＣＢ１が成形できる。上記例のブロックはすべて直線面で形成されているので、金型構造が簡易になり金型製造が容易になることは勿論、本発明ブロック自体の製造も容易になる。
【００１４】
ここで、上記ブロックＣＢ１は、その高さを、図１〜図３の例では約１／２ａ弱の大きさに設定して成形しているが、本発明ブロックの高さは、後に説明するように、その用途や使用場所、使用形態を考慮して任意に設定できるものである。また、本発明ブロックにおいて、高さが大き目に設定されたブロックでは、４つの凹状切欠隅部２〜５の各壁面に、正八角形のセンタ角穴１の中心に通じる水平向きの水平穴１０，１１，１２，１３が形成されている。前記各穴１０〜１３は、隅部をハンチ部に形成した角穴であるが、角穴に限られるものではない。また、上記穴１０〜１３に代え、ブロックＣＢ１の上面及び下面に通じた溝状切欠を設けてもよい。前記の水平穴１０〜１３の意義については後に説明する。
【００１５】
上記の本発明ブロックＣＢ１は、図１に現れているように、上下，左右においてそのブロックＣＢ１の中心を原点とするＸ，Ｙ軸いずれの軸に関しても対称であるのみならず、その座標を４５°回転（時計回り、反時計回りいずれにおいても）させた状態のＸ，Ｙ軸に関しても、上下，左右で対称であるという、平面形態上の特徴を有する。
【００１６】
上記の平面から見た形態上の特徴を有する本発明ブロックＣＢ１は、その高さを違えたタイプを二種以上成形することにより、図４〜図１０に例示するように、平面形状は図１〜図３に示したものと同一であるが、高さと水平穴１０〜１３の形態違い（主として穴の縦径違い）のブロックＣＢ２，ＣＢ３，ＣＢ４が形成できる。図４〜図１０において、図１〜図３の符号と同一符号は、同一部位，同一形状を示すものとするが、ＣＢ２は本発明ブロック第二例、ＣＢ３は本発明ブロックの第三例、ＣＢ４は本発明ブロックの第四例を指すものとする。
【００１７】
上記の各本発明ブロックＣＢ１〜ＣＢ４は、その平面形状の特徴ゆえに、同じブロック同士ＣＢ１〜ＣＢ４のいずれかを、図示した例ではＶ状の小切欠部６〜９を有する各直線辺同士を互に接合させて平面上に敷設すると、図示しないが、Ｖ状の小切欠部６〜９を有する各辺が相互に接合した形態によるブロック集合体に敷設される。この敷設状態において特筆すべきことは、各ブロック同士（ＣＢ１〜ＣＢ４のいずれか同士）の隣接した各切欠隅部２〜５同士が、各ブロックにおける正八角形のセンタ角穴１と同一の正八角形状を呈する別の角穴１ｎを形成すると共に、各直線辺の対向したＶ状の小切欠部６〜９同士が、突合わされて形成される新たな正方形の小孔１ｍを形成する、ということである。
【００１８】
この結果、本発明ブロックＣＢ１〜ＣＢ４は、同じ高さのもの同士を平面上に敷詰めると、センタ角穴１と、各切欠隅部２〜５が集合して形成する角穴１ｎと、各小切欠部６〜９が対向して形成する小孔１ｍとが規則的に並んだ状態のブロック集合体に形成されるので、このブロック集合体の上に、本発明ブロックＣＢ１〜ＣＢ４の同じ高さのものを積層するとき、下層のブロック集合体が形成する各角穴１ｎの上に、積層する各ブロックのセンタ角穴１を重ねて積上げると、この積上げたブロックにおいて集合する切欠隅部２〜５が形成する角穴１ｎは、下層の各ブロックのセンタ角穴１の上に位置付けられることとなる（図１１参照）。このようにして積上げ側の本発明ブロックＣＢ１〜ＣＢ４のいずれかを、その下に敷設されている本発明ブロックＣＢ１〜ＣＢ４のいずれかによる集合体の上に積層すると、ブロック集合体の上下層における各ブロックＣＢ１〜ＣＢ４の接合線は互いに交叉（直交）する形で配置されることとなる。
【００１９】
そこで、本発明ブロックが積層された構築物においては、上，下層で貫通するセンタ角穴１と凹状切欠隅部による角穴１ｎに、土や砂利などを中詰めすると共に、上下層で貫通するＶ状などの小切欠部による小孔１ｍには、コンクリートモルタルＣｍを打設することにより、コンクリート打設部とその回りの部分を積層された本発明ブロック積層構築物における柱として機能すると共に、この柱を中心に構築された本発明ブロック同士を連結する役割を果す。この場合、各ブロックの角穴１，１ｎの壁は、前記柱に結合された梁としてみることができる（図１２参照）。そして、上，下各層のブロック間で上，下に交互に貫通するセンサ角穴１と角穴１ｎに、土，砂利などの中詰することにより、柱と梁と中詰材が一体化した重量により安定した積層構造が得られる。
【００２０】
図１１，図１２に例示したように、各凹状切欠隅部２〜５の壁面に水平穴１０〜１３が設けられている本発明ブロックＣＢ１では、正八角形の角穴１，１ｎに中詰した土がすべてのブロック間で連通することになるから、上層ブロックの角穴１や１ｎに植栽などを行う場合に有用である。また、構築された各ブロックを構成するすべての部材（部位）は、縦，横方向に連続した梁，柱構造となるので、水平力によるせん断抵抗に優れている。
【００２１】
なお、本発明ブロックの施工時の付属物となるブロックとして、図示した平面形状のブロックを１／２にした半割りブロック、該半割りブロックの半割面を壁で塞いだ端部用ブロック（いずれも図示せず）がある。
【００２２】
【発明の効果】
本発明ブロック、並びに、その積層構築法は以上の通りであって、平面的敷設に使用する場合には、前後，左右の方向性、及び、表裏がないので、敷設工事が行い易く、また、各ブロックは、上，下面、並びに、外周面において、センタ角穴が外部と連通しているから、河川の護床工法や護岸工法におけるブロックとして有用であり、また、積層構築物に使用する場合には、前記の平面的敷設における特長点に加え、積層方向においても、各層の角穴が連通すると共にコンクリートが打設される上下で貫通した小孔が連通しているので、植栽擁壁工法や盛土工法に用いるブロックとして有用である。
【図面の簡単な説明】
【図１】本発明ブロックの第一例の平面図。
【図２】図１のブロックのＡ−Ａ矢視図。
【図３】図１のブロックのＢ−Ｂ矢視図。
【図４】本発明ブロックの第二例の平面図。
【図５】図４のブロックのＣ−Ｃ矢視図。
【図６】本発明ブロックの第三例の平面図。
【図７】図６のブロックのＤ−Ｄ矢視図。
【図８】本発明ブロックの第四例の平面図。
【図９】図８のブロックのＥ−Ｅ矢視図。
【図１０】図８のブロックのＦ−Ｆ矢視図。
【図１１】図１〜図３の本発明ブロックを積上げた状態の一例の平面図。
【図１２】図１１の積上げたブロックの正面図。
【符号の説明】
ＣＢ１〜ＣＢ４本発明ブロック
１　　　　　センタ角穴
１ｎ　　　　　角穴（凹状切欠隅部の集合による）
１ｍ　　　　　小孔（Ｖ状などの小切欠部の対向による）
２〜５　　　凹状切欠隅部
６〜９　　　Ｖ状の小切欠部
１０〜１３　　　水平穴
【図１】
2004011351.tif 000003
【図２】
2004011351.tif 000004
【図３】
2004011351.tif 000005
【図４】
2004011351.tif 000006
【図５】
2004011351.tif 000007
【図６】
2004011351.tif 000008
【図７】
2004011351.tif 000009
【図８】
2004011351.tif 000010
【図９】
2004011351.tif 000011
【図１０】
2004011351.tif 000012
【図１１】
2004011351.tif 000013
【図１２】
2004011351.tif 000014